(57)【特許請求の範囲】
【請求項１】
着座時に臀部及び大腿部が接する座面と，座面を支える台部を有し，
座面が，着座者から見た側方において水平な状態から側方傾斜することが可能で，その側方傾斜は左右両側方に傾斜可能で，
足で踏むことができるペダルが椅子に付属し，ペダルを踏み込むと座面が側方傾斜し，
ペダルが左右にあり，左右それぞれのペダル操作により座面がそれぞれ同側に側方傾斜することを特徴とする椅子． 
【請求項２】
右のペダルを踏み込むと座面が右方に側方傾斜し，左のペダルを踏み込むと座面が左方に側方傾斜することを特徴とする請求項１に記載の椅子．
【請求項３】
前述の座面を側方傾斜させる動力が人力によるもので，
ペダルにペダルシリンダーが設置され，座面と台部に介在する座面シリンダーが設置され，ペダルシリンダーと座面シリンダーとはチューブを介して接続しており，
座面がペダルに連動して傾動することを特徴とする請求項１又は２に記載の椅子．
【請求項４】
前述の座面を側方傾斜させる動力が電力によるもので，
ペダルにスイッチが設置され，座面と台部に介在するモーターが設置され，スイッチによりモーターが作動し，
座面がペダルに連動して傾動することを特徴とする請求項１又は２に記載の椅子．
【請求項５】
座面の上面が側方で高くなっており，
座面に，傾動を止めるストッパーとなる突起物を有することを特徴とする請求項１から４のいずれかに記載の椅子．
【発明の詳細な説明】
【技術分野】
【０００１】
本発明は，長時間座位にて発生する腰痛を防止することを目的とする椅子に関するものである．
【背景技術】
【０００２】
長時間のデスクワークを行う職種では腰痛を訴える人が多い．長時間座位にて引き起こされる腰痛の発症原因は，腰椎後弯持続による椎間板性疼痛や背筋性疼痛，臀部圧迫痛などが考えられる．
【０００３】
腰椎後弯を減少させる目的で椅子の背もたれにパッドを入れたり，背もたれを倒したり，また膝で支える形態の椅子（バランスチェア）もある．臀部の長時間圧迫による臀部痛を軽減させるために，座面のクッションに低反発素材を用いたり大腿後面と臀部の形状に合わせた曲線を持つ座面にしている椅子もある．しかし，同一姿勢で背筋が不動状態に置かれることはたとえ負荷が少ない状況でも筋への血流が停滞し，乳酸の蓄積を招き鈍痛を引き起こす．さらに血流ではなく拡散によって栄養されている椎間関節と椎間板は，同一姿勢によりその拡散が不良となるため悪影響を受ける．
【０００４】
背もたれが倒れたり，座面を変えることができる椅子は多くあり，それらの動きにより座る姿勢を変えることはできるが，デスクワークを行う姿勢は自ずと作業に適した背もたれの角度と座面の高さに限定されるため，頻繁に動かすことは現実的ではない．ロッキング機構付チェアや特許文献１のように座面板が前後方向等において傾斜角を変えることができる椅子は存在するが，同様である． 
【０００５】
特許文献２−４のような動揺椅子もしくはバランスボール等では不安定に座面が動きバランスをとるため常に背筋の緊張が必要となり筋疲労を引き起こす．非特許文献１のようにモーターにて他動的に座面を一定リズムにて傾動させる椅子も存在するが，自らの意思とは関係の無い動きによる姿勢制御に伴う強いられた筋緊張により不快感を伴う．さらに人体は下肢と骨盤，腰椎は密接に関連しており，下肢の運動を伴わない骨盤，腰椎の運動は自然な動きとはいえない．
【先行技術文献】
【特許文献】
【０００６】
【特許文献１】特開２０１４−４６１３２
【特許文献２】特開２００５−５８７１９
【特許文献３】特開２００６−６８２２３
【特許文献４】特開２００８−８６６１４
【非特許文献】
【０００７】
【非特許文献１】知念佑太著，能動的に座面を傾動可能な椅子を用いた腰部負担改善システムにおける座面傾動パターンの検討，２０１４年度精密工学会春季大会学術講演会講演論文集
【発明の概要】
【発明が解決しようとする課題】
【０００８】
長時間直立姿勢で起立することは腰痛を引き起こしやすいが，多くの人は「休め」の姿勢にて回避している．「休め」の姿勢は重心を片脚に移す姿勢で，これを左右に交互に行うことである．この時，図１のように骨盤１が側方に傾き（骨盤側方傾斜），腰椎２は側彎し背筋３の長さが片方で短縮と他方で伸張し，筋緊張が緩和される．椎間板や椎間関節も動くことになり，同部の酸素，栄養の拡散が促進される．また長時間座位による腰痛は歩行を行うとより改善されるが，歩行に伴う下肢−骨盤−腰椎の連動した動きは全身性の筋緊張の緩和と血流の改善をもたらす．これを椅子で再現することを今回の発明の目的とする．
【課題を解決するための手段】
【０００９】
本発明の椅子は，ペダルに連携して椅子が傾動するもので，ペダルが左右でふたつあり，片方を踏み込むと，その反対側の座面が持ち上がり傾斜する．他方のペダルを踏み込むと逆の方向に座面が傾動する．
【発明の効果】
【００１０】
歩行時に行われる下肢−骨盤−腰椎の連動した動き，すなわち片側脚を踏み込むと同側へ骨盤が側方傾斜し，腰椎が側彎するという連動した動きを座位にても行うことができ，固定姿勢に伴う腰痛を緩和する．能動的な動きであり不快感が少ない．動きながらもデスクワークを妨げる姿勢にはならない．
【図面の簡単な説明】
【００１１】
【図１】骨盤腰椎背筋の模式図．a：骨盤左傾時  b：中間位  c：骨盤右傾時．
【図２】本発明の実施形態１の全体正面図．
【図３】本発明の実施形態１の全体側面図．
【図４】本発明の実施形態１のペダル側面図．a：踏み込み前  b：踏み込み時．
【図５】本発明の実施形態１の座面と台部の部分後面図．a：中間位  b，c：右，左傾斜時
【図６】本発明の実施形態２のペダル側面図．a：踏み込み前  b：踏み込み時
【図７】本発明の実施形態２の座面と台部の部分側面図．
【発明を実施するための形態】
【００１２】
本発明の実施形態１を図２〜５を用いて説明する．人が座る時に臀部や大腿部と接する座面４とそれを支える台部５がある．脚部６の上部に台部５がある．台部５から側上方に手台部７があり，後方に背もたれ８がある．円柱支軸９が座面４の左右方向において正中にあり，その円柱支軸９の軸方向が前後方向にあり，台部５と座面４が円柱支軸９を介して接続しており，座面４が軸回旋して側方傾斜することが可能である．座面４は側方でより厚くなっており，座面４が側方傾斜した際の体のずり落ちを防ぐ．下記のように座面４がペダルに連動して傾動する．
【００１３】
実施形態１は，人力によるシリンダー方式である．図２〜５のように左右にペダル１０があり，ペダル１０踏み込み動作により動くペダルシリンダー１１が左右のペダル１０それぞれにある．台部５の左右に座面シリンダー１２が設置され，座面４と接続されている．ペダルシリンダー１１とその対側の座面シリンダー１２はチューブ１３を介して接続している．左ペダルを踏むと右の座面シリンダーが座面右側を持ち上げ，座面が左側方傾斜する．右ペダルを踏むと逆に座面が右側方傾斜する．ストッパー１４で傾動を停止させることもできる．
【００１４】
実施形態２は前述の動力が電気式であり，図６，７のように，左右ペダル１５それぞれにあるスイッチ１６とバネ１７があり，スイッチ１６に電線１８を介して接続している座面下のモーター１９が設置されている．モーター１９に接続されたウォームギヤ２０により座面４が傾動する．左電動ペダルを踏むと座面４が左側方傾斜し，右電動ペダルを踏むと逆に座面４が右側方傾斜する．
【図１】
0006680508.tif 000002
【図２】
0006680508.tif 000003
【図３】
0006680508.tif 000004
【図４】
0006680508.tif 000005
【図５】
0006680508.tif 000006
【図６】
0006680508.tif 000007
【図７】
0006680508.tif 000008